(57)【要約】【課題】人目をひくことができるとともに商品見本を際立たせて展示することが可能な商品展示台を備えた自動販売機を提供する。【解決手段】キャビネット本体１の前面に開閉自在な外扉２、この外扉２に形成され、商品展示台３１に載置された商品見本３０３を展示する商品展示室３、この商品展示室３１に展示された商品見本３０３を照明する照明手段３２とを備えた自動販売機であって、前記商品展示台３１を透明な材料により形成し、商品展示台３１に載置された商品見本３０３が空中に浮かんで静止しているように展示して商品見本を際立たせるとともに、商品展示台に入射した照明手段３２の光が商品展示台のエッジに集中して放射されることにより、当該商品展示台のエッジがキラキラと光って見えることから商品展示台を生命体のように見せることが可能で衆目を集めることができる。【選択図】      図３
2006330910.tif 000002
【特許請求の範囲】
【請求項１】
キャビネット本体の前面に開閉自在な外扉と、前記外扉に区画形成され、商品展示台に載置された商品見本を展示する商品展示室と、この商品展示室に展示された商品見本を照明する照明手段を備えた自動販売機において、前記商品展示台を透明な材料で形成したことを特徴とする自動販売機。
【請求項２】
請求項１記載の自動販売機において、商品展示台は個別に形成されていることを特徴とする自動販売機。
【請求項３】
請求項２記載の自動販売機において、商品展示台の商品載置部に商品見本を取付ける商品見本保持板が着脱自在に装着されていることを特徴とする自動販売機。
【請求項４】
請求項１記載の自動販売機において、商品展示室に展示された商品見本を照明する照明手段は発光ダイオードであることを特徴とする自動販売機。
【請求項５】
請求項４記載の自動販売機において、発光ダイオードは商品見本に対応して設けられていることを特徴とする自動販売機。
【請求項６】
請求項４記載の自動販売機において、発光ダイオードは商品選択ボタンを支持するボタン取付金具に取付けられていることを特徴とする自動販売機。
【発明の詳細な説明】
【技術分野】
【０００１】
この発明は、缶入り飲料や瓶入り飲料、あるいはペットボトル入り飲料等の商品を販売する自動販売機に関し、詳しくは外扉に区画形成された商品展示室内に商品見本を並べて展示する自動販売機に関する。
【背景技術】
【０００２】
周知のように自動販売機はキャビネット本体の前面に開閉自在な外扉が配設され、キャビネット本体の庫内には商品を収容した商品収納ラック（例えば、サーペンタイン式商品収納ラック）が配備され、この商品収納ラックに収容した商品を冷却／加熱ユニットにより冷却または加温して冷蔵保存または加熱保存している。前記外扉には商品見本を展示する商品展示室が区画形成されるとともに商品展示室内には販売する商品の商品見本を載置して展示する商品展示台が上下方向に複数段並設されている。商品展示室の前面はプラスチック製の透明板で覆われており、この透明板の前面に前記商品展示台に載置された商品見本に対応して商品選択ボタンが設けられている。前記商品展示台には左右方向に複数の商品見本が載置して取付けられ、この商品見本は商品展示室内に設けた照明手段としての蛍光灯により照明されるように構成されている（例えば、特許文献１参照）。
【特許文献１】特開平１０−７９０７８号公報
【発明の開示】
【発明が解決しようとする課題】
【０００３】
前記蛍光灯は商品見本を上方向から照明するため商品展示室の天面側と商品展示台の下部に配置されている。例えば、商品展示台が上下に３段並設されている場合、上段の商品展示台の商品見本は商品展示室の天面側に配置された蛍光灯で照明され、中段の商品展示台の商品見本は上段の商品展示台の下面に設けた蛍光灯で照明され、下段の商品展示台の商品見本は中段の商品展示台の下部に設けた蛍光灯で照明されるように構成されている。なお、商品見本が光透過性の部材により構成され、商品見本の底部に形成した穴から商品見本の内部に光を導入して商品見本が発光するように展示されるものにあっては、商品展示台に孔を形成して商品展示台の下部に設けた蛍光灯の光を商品見本の内部に導入して商品見本の内部から照明するようにしたものもある。
ここで、商品展示室（自動販売機）の前面から蛍光灯が見えるように配設されている場合、蛍光灯自体が目立って商品見本の展示効果が低減するとともに利用者が蛍光灯を直視した場合には目が眩んでしまうので不快感を与えてしまう。このため、商品展示室の前面から蛍光灯が見えることがないように構成されている。この場合、商品展示室の天面側に設けた蛍光灯は商品展示室の縁に位置することから商品展示室上方の前面から目視できない位置に配設することができる。しかしながら、商品展示室の中央、すなわち、商品展示台の下部に設けた蛍光灯は目隠しをしなければならない。この目隠しは、一般的には商品展示台を下面が開放した箱形に形成し、その箱の中に蛍光灯を配設して蛍光灯が商品展示台で覆われるように構成し、これによって自動販売機の前面から蛍光灯が目視できないようにされている。このため、商品展示台は光を遮断する板金によって形成されている。この蛍光灯と商品展示台の関係を逆に言えば、商品展示台が光を遮断する材料により形成されていることにより蛍光灯を商品展示台の下部に配設して商品展示台に載置された商品サンプルを照明しなければならない。そして、商品展示台は蛍光灯を覆うために比較的大きな外形形状となり、商品展示室に占める商品展示台の割合が大きくなる。前記商品展示台は見栄えをよくするために白色の塗料により塗装されているとはいえ、無機質であることから人目をひくような機能は備えていないのが現状である。
そこで、本発明は上記の点に鑑みなされたものであり、人目をひくとともに商品見本を際立たせて展示することが可能な自動販売機を提供することを目的とする。
【課題を解決するための手段】
【０００４】
上記目的を達成するために本発明は、キャビネット本体の前面に開閉自在な外扉と、前記外扉に区画形成され、商品展示台に載置された商品見本を展示する商品展示室と、この商品展示室に展示された商品見本を照明する照明手段を備えた自動販売機において、前記商品展示台を透明な材料で形成したことを特徴とする（請求項１）。
この場合、商品展示台は個別に形成するのがよく（請求項２）、また、商品展示台の商品載置部に商品見本が取付けられる商品見本保持板を着脱自在に装着するのがよい（請求項３）。
また、商品展示室に展示された商品見本を照明する照明手段として発光ダイオードを用いるのがよく（請求項４）、この場合、発光ダイオードは商品見本に対応して設けるのがよく（請求項５）、さらに、発光ダイオードは商品選択ボタンが取付けられるボタン取付金具に取付けるのがよい（請求項６）。
【発明の効果】
【０００５】
本発明の請求項１に記載した自動販売機によれば、商品展示台が透明であることから商品展示台に載置された商品見本は恰も空中に浮かんで静止しているような展示を行うことができるので商品見本を際立たせることが可能となり、また、照明手段から照射されて商品展示台に入射した光が商品展示台のエッジから集中して放射されることにより、商品展示台のエッジがキラキラと光って見えることから商品展示台を生命体のように見せることができるので周囲の注目を集めることができる。また、請求項２に記載の自動販売機によれば、機種ごとに展示する商品見本の数が異なる場合にも、商品見本の数に応じた商品展示台を用意すればよいので、商品展示台は全機種に共通に用いることができる。さらに、請求項３に記載の自動販売機によれば、顧客ごとに展示する商品見本の係合方式が異なる場合にも、商品見本の係合方式に合致する商品見本保持板を交換するのみで全ての顧客に対応でき、商品展示台を全ての顧客に共通に用いることが可能となる効果を有する。
【０００６】
また、本発明の請求項４に記載した自動販売機によれば、照明手段が発光ダイオードで形成されていることにより、照明手段の設置スペースを小さくすることができるとともに消費電力が小さいことから省エネルギー化が可能であり、また、請求項５に記載の自動販売機によれば、商品見本に対応して配設された発光ダイオードによりそれぞれの商品見本を個別に照明するようにしたことにより、個々の商品見本を照明する照度を変えて照明したり、異なる発光タイミングで照明することができ、言い換えれば、利用者の目を引く展示を行うことができる。さらに、請求項５に記載の自動販売機によれば、発光ダイオードを商品選択ボタンが取付けられるボタン取付金具に取付けることにより、発光ダイオードの取付けのための部品を設ける必要がないことから部品点数を削減することができるという効果を有する。
【発明を実施するための最良の形態】
【０００７】
以下、本発明の実施の形態を図１乃至図１３に示す実施例に基づいて説明する。図１は本発明の一実施例を示す自動販売機の正面図であり、図２は図１の側面図である。
図において、１は前面が開放された断熱筐体からなるキャビネット本体であり、断熱内扉で閉塞された庫内には商品を収容した商品収納ラック，庫内の商品を冷却もしくは加熱する冷却／加熱ユニットが配設されている。２はキャビネット本体１にヒンジ結合されてキャビネット本体１の前面を開閉する片開き式の外扉であり、この外扉２には商品展示室３，金額表示器４，紙幣挿入口５，硬貨投入口６，返却レバー７，商品取出口８，硬貨返却口９がそれぞれ設けられている。前記商品取出口８と硬貨返却口９とを設けた取出口組立体１０は、図２から理解できるように、外扉２の前面から前方に突出した半円筒形状に形成されている。また、図示していないが、外扉２をキャビネット本体１にロックするロック機構をキーにより開錠，施錠する扉ロック手段も設けられている。なお、２Ａは小振りの載置台であり、セカンドバックなどの鞄を載置する置き台である。
図３は外扉２に形成された商品展示室３の断面図を示し、商品展示室３は外扉２にヒンジ結合された中扉３０１と外扉２の前面に取付けられたプラスチック製の透明板３０２との間に区画形成されている。前記中扉３０１には商品見本３０３を載置した商品展示台３１が取付部材３５を介して取付けられている。前記商品見本３０３に対応して商品選択ボタン３０４が透明板３０２を貫通して取付けられ、前記商品選択ボタン３０４は外扉２に固着されたボタン取付金具３０５により支持されている。ボタン取付金具３０５と透明板３０２との間にはスペーサ３０６が配設され、このスペーサ３０６により透明板３０２をボタン取付金具３０５に結合させて透明板３０２が波打つのを抑制している。前記ボタン取付金具３０５の背面には商品見本３０３を前方より照明する照明手段としての発光ダイオード３２が取付けられている。
ここで、前記発光ダイオード３２は商品展示台３１に載置されたそれぞれの商品見本３０３に対応して個別に配設されるようにモジュール化されており、プリント配線基板にダイオードチップが実装され、前記プリント配線基板を囲うケースの開口からコネクタが引出されるとともにダイオードチップからの光を拡散するレンズを前記ケースに装着して構成されている。また、前記ダイオードチップは白色または３原色（赤、青、緑）の光を発光する素子からなり、白色の光を発光する素子を用いた場合には従来の蛍光灯と同様に平均的に照明したり、光量や発光タイミングを制御することにより照明に変化をもたせることができ、また、３原色の光を発光する素子を用いた場合には種々の色彩で照明することができる。もちろん３原色の光を発光する素子を用いた場合にも各素子を同時に点灯させることにより従来の蛍光灯と同様に平均的に照明することができるものである。以下の説明では前記発光ダイオード３２を発光ダイオードモジュールと呼称する場合もある。
【０００８】
次に商品展示台３１の構成について図４を用いて説明する。図４において、３１で再び商品展示台を示し、この商品展示台３１は透明なプラスチック成形品からなり、商品見本ごとに個別に設けられている。前記商品展示台３１の商品載置部となる上面３１ａと下面３１ｂとの間は貫通穴３１ｃが形成されており、上面３１ａの左右両端には前後方向に延びる保持溝３１ｄが形成されている。また、商品展示台３１の前壁３１ｅは前方に傾斜して形成され、その前面は透明材料からなる冷温表示部材３１１を装着する冷温表示部として形成されている。この冷温表示部は左右両側に形成した表示部材保持溝３１ｆを有し、この表示板保持溝３１ｆに冷温表示部材３１１が挿入され、また、交換のために引き抜かれる。前記商品展示台３１の後壁３１ｇは垂直壁として形成され、かつ、後壁３１ｇから後方に突出する鉤状のフック（不図示）が形成されている。なお、前記冷温表示部材３１１は透明なプラスチックフィルムからなり、四角形状の冷温表示部材３１１の表面に白抜きの文字（例えば、コールド商品の場合はＣＯＬＤ、ホット商品の場合はＨＯＴ）や金額を表す数字（例えば１２０）の背景に、コールド商品の場合には寒色の背景色（例えば青色）、ホット商品の場合には暖色の背景色（例えば赤色）が印刷されている。
前記商品展示台３１の前記上面３１ａの保持溝３１ｄには商品見本保持板３１２が差し込まれる。前記商品見本保持板３１２は貫通孔３１ｃに対向する位置に孔３１３が形成されるとともに当該孔３１３の周縁に商品見本の底部（又は下部）に設けた係合爪と係合する係合溝３１４（この実施例では一対）が形成されている。また、商品見本保持板３１２には商品展示台３１の上面３１ａに形成した係合爪３１ｈと係合する係合孔３１５が形成され、この係合孔３１５は商品見本保持板３１２を商品展示台３２の上面に装着した際に前記係合爪３１ｈと係合することにより商品見本保持板３１２の抜け止めを行うものである。この商品見本保持板３１２は顧客ごとに異なる商品見本の係合方式、すなわち、商品見本の底部または下部に設けた係合爪の数や形状に対応して複数種類が容易されている。従って、顧客に応じた商品見本保持板３１２を商品展示台３１装着することにより商品展示台３１を共用することができるものであり、顧客ごとに商品展示台を用意する必要がない。
【０００９】
図５は前述した商品展示台３１を中扉３０１（図１参照）に固着した取付部材３５に装着する状態を示す。図５に示すように、取付部材３５は展開状態では長尺の薄い板金の上下両端を折り曲げて形成され、取付部材３５の前面には左右に並べて並設される商品展示台３１の数に応じた係合孔３５ａが穿孔されている。この係合孔３５ａには商品展示台３１の後壁３１ｇに形成したフック（不図示）が嵌め込まれる。このように商品展示台３１を取付部材３５に引っ掛け方式により取付けられることにより商品展示台３１が横一列に整然と整列される。
このように透明な商品展示台３１を用いることにより、商品展示台３１に載置された商品見本が恰も空中に浮かんで静止しているように展示することができ、商品見本を際立たせて利用者に興味を持たせたり、引き付けることが可能となる。また、商品展示台３１を商品見本ごとに個別に設けることにより、機種ごとに展示する商品見本の数が異なる場合にも、商品見本の数に応じた係合孔３５ａが穿孔された取付部材３５を交換するのみでよく、商品展示台３１は全機種に共通に用いることができる。さらに、商品展示台３１が透明なプラスチック材料により形成されていることにより、照明手段としての発光ダイオードモジュールから照射された光が商品展示台３１のエッジに集中することから、そのエッジ部分がキラキラと光って見えるので、商品展示台３１が恰も生命体であるように見せることができ、衆目の的となる。
【００１０】
次に、商品見本３０３を照明する発光ダイオード３２の取付け状態を図６を用いて説明する。
図６は外扉２の商品展示室３における透明板３０２の背面に配設されたボタン取付金具３０５への発光ダイオードモジュール３２の取付け状態を示し、商品展示室３の前面を覆う透明板３０２を背面から見た図である。ここで、商品展示室３は図３に示したように、前後面が中扉３０１と透明板３０２で区画形成されており、その周縁が図６に示した天板３４１，底板３４２，右側板３４３，および左側板３４４で覆われている。商品展示室３には左右に横切るように商品選択ボタン３０４（図３参照）を支持するボタン取付金具３０５が配設され、このボタン取付金具３０５の両端が右側板３４３と左側板３４４に固定されている。ボタン取付金具３０５前面側には透明板３０２との間に配設されるスペーサ３０６が取付けられている。３４５〜３４８はそれぞれ商品展示室３の天板３４１，底板３４２，右側板３４３，および左側板３４４の商品展示室３側に配設されて化粧枠である。
【００１１】
前記ボタン取付金具３０５の背面には商品見本３０３に対応して発光ダイオードモジュール３２が左右に並べてそれぞれ取付けられる。前記ボタン取付金具３０５の背面には発光ダイオードモジュール３２に対応して発光ダイオード取付用の係合穴（不図示）が形成されている。一方、発光ダイオードモジュール３２の（プリント配線基板を収納する）ケースにはコネクタの引き出しのための開口部の周縁に、前記係合穴に嵌め込んで固着される係合部が形成されている。したがって、前記ボタン取付金具３０５の係合穴に発光ダイオードモジュール３２のケースに形成された係合部を嵌め込むことにより発光ダイオードモジュール３２がボタン取付金具３０５に取付けられる。また、ボタン取付金具３０５はそれぞれの発光ダイオードモジュール３２への電源や信号を供給するハーネスのホルダとしても用いられている。このボタン取付金具３０５に保持されたハーネスにはそれぞれの発光ダイオード３２に接続されるソケットが接続されており、このソケットを前記発光ダイオードモジュール３２のコネクタに接続することにより発光ダイオードモジュール３２が制御装置と電気的に接続される。制御装置は予め設定されたプログラムに基づいて発光ダイオード３２を点灯制御する。前述したようにボタン取付金具３０５を発光ダイオードモジュール３２の取付け、およびハーネスの引き回しに兼用することにより部品点数を削減できる。
【００１２】
次に、図７は紙幣挿入口５，硬貨投入口６，返却レバー７からなる操作部の断面を示す。図において、紙幣挿入口５は挿入ガイド部５１が斜め上方向を向くように形成され、この紙幣挿入口５と紙幣通路が連通する紙幣識別装置５２が外扉２の背面に取付金具５３を介して取付けられている。紙幣識別装置５２は従来の紙幣識別装置を逆さにして配置したものであり、紙幣挿入口５から挿入された紙幣を上方向に搬送して真偽判別を行い、「真」と判定された紙幣を紙幣保留部に集積し、「偽」と判定された紙幣を紙幣挿入口５に返却するものである。紙幣挿入口５の下方には返却レバー７が配設され、この返却レバー７の下方には硬貨投入口６が配設されている。
硬貨投入口６には硬貨一枚を受け入れる凹所が形成された硬貨受具６１が前方に突出するように取付けられ、硬貨受具６１の凹所に硬貨を投入すれば硬貨が取り込まれるように構成されている。硬貨投入口６に連通して外扉２の背面には硬貨シュート６２およびコインメック６３が配設され、硬貨受具６１の凹所に投入された硬貨は硬貨シュート６２を介してコインメック６３に導かれて真偽が判定される。
【００１３】
図７に示したように、返却レバー７を挟んで上下に紙幣挿入口５および硬貨投入口６を近接して配設したことにより、紙幣および硬貨の投入位置が一箇所に集中することから、紙幣または硬貨のいずれを使用しても略同一位置で紙幣の挿入操作もしくは硬貨の投入操作を行うことができ利用者の利便性が向上する。そして、紙幣挿入口５と硬貨投入口６との間に返却レバー７が配置されていることから紙幣挿入口５または硬貨投入口６から返却レバー７までの距離が略等距離となり、返却時の操作性が改善され利用者の利便性が向上する。
次に、図８は商品取出口８および硬貨返却口９を構成する取出口組立体１０を示し、この取出口組立体１０は図２に示したとおり、外扉２の前面から前方に突出した半円筒形状に形成されている。取出口組立体１０は左右の半円形状の化粧枠側板１０１、１０１、化粧枠下板１０２、および化粧枠上板１０３からなる。前記化粧枠上板１０３には商品取出口８および硬貨返却口９が開口され、商品取出口８と硬貨返却口９とが横一列に配列して一体化して配設されている。なお、取出口組立体１０が半円筒形状に外扉２から前方へ突出していることから硬貨返却口９も従来の自動販売機に対して前方に位置することになるが、コインメック６３（図７参照）と硬貨返却口９との間には当該コインメック６３から排出された硬貨を硬貨返却口９に導くコインシュート（不図示）が設けられている。
【００１４】
前記化粧枠上板１０３の内側には商品取出口８および硬貨返却口９を開閉する透明なプラスチック材からなるフラップ１１が上下方向にスライド可能に配設されている。なお、８１はフラップ１１の表面に貼着した銘板８１である。
前記フラップ１１は図９に示すように、化粧枠上板１０３と同一の曲率をもって湾曲形成され、上下両端を額縁状の補強部材１２で保持されている。すなわち、補強部材１２の上縁には断面コ字形の保持部１２１が形成されており、この保持部１２１にフラップ１１の上端が嵌合保持されている。一方、フラップ１１の下縁には断面コ字形の保持部１１１が形成され、この保持部に補強部材１２の下縁を差し込んで両者を結合することによりフラップ１１の下端が補強部材１２に保持されている。前記補強部材１２の左右両端には回転支点となる軸１００に軸支された脚片１３（図９では左端側の脚片のみ示されている）が設けられ、補強部材１２に保持されたフラップ１１は軸１００を中心として上下方向にスライド移動する。前記したように補強部材１２によりフラップ１１の上下両端を保持することによりプラスチックからなる広幅のフラップ１１の剛性を高めてフラップ１１が破損することを防止できる。
【００１５】
図９に示すように、前記取出口組立体１０の化粧枠下板１０２にはフラップ１１の下端が当接するガスケット１４が取付けられている。このガスケット１４の前面側は商品取出口８の内側に凹むように形成され、その凹みの前面側にフラップ１１の下端が位置するように構成することにより、ガスケット１４の凹みに指を差し入れてフラップ１１を押し上げることによりフラップ１１は上方向にスライド移動する。
なお、図９において、１５は外扉２の懐に配備された商品受部材であり、この商品受部材１５の底面にはクッション１６が着脱自在に取付けられている。また、１７は外扉２に固着され、商品収納ラックから搬出された商品を受け入れる空間を区画する側板であり、この側板１７に前記補強部材１２の脚片１３を軸支する軸１００が固着されている。
次に、前記フラップ１１の開閉について説明すると、図９に示すガスケット１４の凹みに指を差し入れてフラップ１１を押し上げることによりフラップ１１は補強部材１２の脚片１３の軸支点（軸１００）を中心に揺動して上方向にスイラド移動する。フラップ１１が上方向にスライド移動した状態を図１０に示し、フラップ１１が図１０に示す上限位置までスライド移動することにより商品取出口８の開口が全開されるとともに硬貨返却口９も全開される。これにより商品の取出しと同時に釣銭の取出しを行うことができる。図１０に示すようにフラップ１１が上方向の上限位置までスライド移動した状態においてフラップ１１の重心は軸１００よりも前方側に位置するように定められている。従って、フラップ１１を上下位置までスライド移動させた後に手を離すとフラップ１１はその自重により下方向にスライド移動して商品取出口８および硬貨返却口９を閉じる。
前述したように、商品取出口８と硬貨返却口９とを横一列に配列して一体化したことにより商品および釣銭の取出しの利便性が向上し、さらに、商品取出口８および硬貨返却口９がフラップ１１の開閉により同時に開放・閉鎖するようにすることによって従来装置のようにそれぞれの商品取出口および硬貨返却口のフラップを操作して取出すものに対してそれぞれのフラップを開閉する時間を省いて利便性を更に向上することができる。また、商品の販売動作により販売された商品は商品受部材１５の上に搬出されるが、この商品受部材１５の上に搬出された商品は透明で円弧状に形成されたフラップ１１を透かして目視することができ、利用者は商品が搬出されたことを容易に知ることができる。
【００１６】
なお、硬貨投入後に商品の購入を取り止めて返却レバーが操作された場合には投入した硬貨の金額に相当する硬貨が硬貨返却口９に返却され、また、投入した硬貨がコインメックにより受付けられなかった場合にも当該硬貨が硬貨返却口９に返却される。この場合、前記実施例では商品取出口８および硬貨返却口９を開閉するフラップ１１を共用化していることからフラップ１１を開閉して硬貨返却口９から硬貨を取出す必要がある。このため、硬貨返却口９から硬貨を取出す場合はフラップ１１を開けるなどの取扱い操作（操作説明）を表記した銘板８１をフラップ１１の表面に貼着したり、プラップ１１に直接刻印しておくのが望ましい。この銘板８１もしくは刻印によりフラッパ１１の存在を利用者に認知させることができ、利用者がフラッパ１１の存在に気付かずにフラッパ１１に手を打ち当ててしまうことをなくすことができる。
【００１７】
また、前記実施例では、商品展示台が個別に形成したものについて説明したが、商品展示台を個別に形成することなく、従来と同様に複数の商品見本を一括して載置する構成とした場合にも商品展示台が透明であれば商品見本が空中に浮かんでいるように展示することができる。従って、複数の商品見本を一括して載置する構成の商品展示台を透明としたものも本発明に含まれるものである。
さらに、前記実施例では商品見本の照明手段として発光ダイオードを用いたものについて説明したが、その照明手段として従来の蛍光灯を用いることもできる。この場合、従来の蛍光灯は商品見本を上方向から照明するため商品展示室の天面側と商品展示台の下部に配置されており、例えば、商品展示台が上下に３段並設されている場合、4本の蛍光灯が必要である。一方、本発明では商品展示台が透明であることから照明光が商品展示台により遮られることがない。したがって、商品展示室の天面側と底面側に蛍光灯を配置することにより上下３段の商品展示台に載置された商品見本を上下から照明することができ、従来装置に対して蛍光灯の本数を半減することができるものである。
【図面の簡単な説明】
【００１８】
【図１】本発明の一実施例を示す自動販売機の自動販売機の正面図
【図２】図１の自動販売機の側面図
【図３】図１の外扉に形成された商品展示室の断面図
【図４】商品展示台の分解斜視図
【図５】図４の商品展示台を取付け状態を説明する図
【図６】発光ダイオードのボタン取付金具への取付け状態を説明する図
【図７】紙幣挿入口，硬貨投入口，返却レバーからなる操作部の断面図
【図８】商品取出口と硬貨返却口とを備えた取出口組立体の正面図
【図９】商品取出口の断面を示し、フラップが商品取出口の開口を閉鎖した状態の図、
【図１０】商品取出口の断面を示し、フラップが上方向の上限位置までスライド移動した状態の図
【符号の説明】
【００１９】
１    キャビネット本体
２    外扉
３    商品展示室
５    紙幣挿入口
６    硬貨投入口
７    返却レバー
８    商品取出口
９    硬貨返却口
１０    取出口組立体
１１    フラップ
１２    補強部材
１３    脚片
３１    商品展示台
３２    照明手段（発光ダイオード）
３０１    中扉
３０２    透明板
３０４    商品選択ボタン
３０５      ボタン取付金具
３０６      スペーサ
３１２      商品見本保持板
【図１】
2006330910.tif 000003
【図２】
2006330910.tif 000004
【図３】
2006330910.tif 000005
【図４】
2006330910.tif 000006
【図５】
2006330910.tif 000007
【図６】
2006330910.tif 000008
【図７】
2006330910.tif 000009
【図８】
2006330910.tif 000010
【図９】
2006330910.tif 000011
【図１０】
2006330910.tif 000012